(57)【要約】      （修正有）【課題】清掃時等に、治具やリングに設ける特別な構造を用いることなく、トラックボールに使用しているボールを容易に取り出すことの可能なトラックボールのボール取り出し構造を提供する。【解決手段】トラックボール２６は、リング２２によってボール収容部２５に収納され、リング２２と収納部２５は係止部位（つめ）２４で連結される。収納部と一体になったトラックボール２６は、リング２２を回転することで、筐体２８と着脱し、収納部２５に対してリング２２を回転させることで、ボールの取出しが可能となる。【選択図】図２Ｄ
2010165034.tif 000002
【特許請求の範囲】
【請求項１】
トラックボールに設けられたボール取り出し用の構造であって、該構造はリングとボールが収容されるボール収容部とからなり、該リングと該ボール収容部には該リングの回転によって両者を係止するための相互に係止する形状を備えた一対の係止部位が設けられている、トラックボールのボール取り出し構造。
【請求項２】
請求項１に記載のボール取り出し構造を備えていることを特徴とする、トラックボール。
【発明の詳細な説明】
【技術分野】
【０００１】
本発明はトラックボールのボール取り出し構造およびトラックボールに係り、特に、トラックボールに使用しているボールを容易に取り出すことの可能なトラックボールのボール取り出し構造およびトラックボールに関する。
【背景技術】
【０００２】
トラックボール筐体内部やボールの清掃作業等、トラックボールからボールを取り出すことの必要な場合がある。このような場合は従来、専用の治具を用いてボールを取り出している。
【０００３】
図３は、トラックボールにおける従来のボール取り出し方法の一例を示す斜視説明図である。この例はへら状の治具を用い、治具を筐体内のボールの下に差込み、ボールをすくい上げる方法である。
【０００４】
また図４は、トラックボールにおける従来のボール取り出し方法の他の例を示す斜視図である（特許文献１）。これは、トラックボールのリングの下方に下端が内側方向に突起を有する保持アームを複数個設けた、いわばリング一体治具の構造とすることによって、リングをケースから抜くことでボールも一緒に取り外し、その後リング一体治具に保持されたボールを取り外す、というものである。
【先行技術文献】
【特許文献】
【０００５】
【特許文献１】特開２００２−１８９５６２号公報「トラックボールのボール取り出し構造」
【発明の概要】
【発明が解決しようとする課題】
【０００６】
しかし、へら状治具を用いる方法は作業性が良くなく効率的ではない。また特許文献１の技術では、リングごとボールを取り出した後でさらにボールをリング一体治具から取り外さなくてはならず、手間がかかる。
【０００７】
本発明が解決しようとする課題は、これら従来技術の問題点を除き、他の治具やリングに設ける特別な構造を用いることなく、トラックボールに使用しているボールを容易に取り出すことの可能なトラックボールのボール取り出し構造、およびトラックボールを提供することである。
【課題を解決するための手段】
【０００８】
本願発明者は上記課題について検討した結果、より簡易な構造によって課題を解決できることを見出し、本発明に至った。すなわち、上記課題を解決するための手段として本願で特許請求される発明、もしくは少なくとも開示される発明は、以下の通りである。
【０００９】
（１）  トラックボールに設けられたボール取り出し用の構造であって、該構造はリングとボールが収容されるボール収容部とからなり、該リングと該ボール収容部には該リングの回転によって両者を係止するための相互に係止する形状を備えた一対の係止部位が設けられている、トラックボールのボール取り出し構造。
（２）  （１）に記載のボール取り出し構造を備えていることを特徴とする、トラックボール。
【発明の効果】
【００１０】
本発明のトラックボールのボール取り出し構造およびトラックボールは上述のように構成されるため、これによれば、他の治具やリングに設ける特別な構造を用いたり、さらにその治具からボールを取り外す手間をかけることなく、筐体から、使用しているボールを容易に取り出すことができる。したがって、トラックボールのボールや筐体内の清掃の作業性を向上させることができる。
【図面の簡単な説明】
【００１１】
【図１Ａ】本発明のトラックボールのボール取り出し構造の構成を示す断面図であり、リングとボール収容部が相互に係止された状態を示す。
【図１Ｂ】本発明のトラックボールのボール取り出し構造の構成を示す断面図であり、リングとボール収容部が分離した状態を示す。
【図２Ａ】本発明ボール取り出し構造の実施例についてボール取り出しの手順を示す斜視図であり、筐体内については透視図である。
【図２Ｂ】本発明ボール取り出し構造の実施例についてボール取り出しの手順を示す斜視図であり、筐体内については透視図である。
【図２Ｃ】本発明ボール取り出し構造の実施例についてボール取り出しの手順を示す斜視図であり、筐体内については透視図である。
【図２Ｄ】本発明ボール取り出し構造の実施例についてボール取り出しの手順を示す斜視図であり、筐体内については透視図である。
【図３】トラックボールにおける従来のボール取り出し方法の一例を示す斜視説明図である。
【図４】トラックボールにおける従来のボール取り出し方法の他の例を示す斜視図である。
【発明を実施するための形態】
【００１２】
以下、図面により本発明をさらに詳細に説明する。
図１Ａ、図１Ｂは、本発明のトラックボールのボール取り出し構造の構成を示す断面図である。前者はリングとボール収容部が相互に係止された状態、後者は分離した状態を示す。これらに図示するように、本発明トラックボールのボール取り出し構造１はトラックボール１０に設けられた構造であって、リング２とボール６が収容されるボール収容部４とからなり、リング２とボール収容部４には、リング２の回転によって両者を係止するための相互に係止可能な形状を備えた一対の係止部位３、５が設けられていることを、主たる構成とする。
【００１３】
本ボール取り出し構造１のリング２およびボール収容部４の各係止部位３、５は、一対のみであっても充分に安定的な係止ができる限り、本発明の目的を達成できるため、本発明の範囲内である。しかし、両部材２、４間の係止を確実なものとするために、図示するようにリング２およびボール収容部４の各係止部位３、５は、一対のみではなく二対あるいはそれ以上設けることが望ましい。なお係止部位３、５の具体的構造は図示するものに限定されない。要するに、リング２とボール収容部４とを着脱可能に連結させることのできる構造であればすべて、本発明の係止部位である。
【００１４】
リング２がトラックボール筐体に取り付けられている通常の状態においては、リング２は脱着自在に筐体に固定されている。固定は、リング２をねじ込み締め付けるように回してなされるが、通常これは時計方向（右回り）によりなされている。ボールを取り出す必要がある場合は、リング２を反時計方向（左回り）に回すことによって、リング２の筐体への固定を解除するとともに、リング２の係止部位３とボール収容部４の係止部位５とが係止可能な位置へと移動させることになる。そのようにして各係止部位３、５の係止がなされる。
【００１５】
なお、リング２のねじ込み締め付けの方向が反時計方向（左回り）の構成の場合は、取り出し時の回転方向はその逆方向、つまり時計方向（右回り）とする構成とすればよい。
【００１６】
各係止部位３、５の係止がなされたら、リング２を上方へと引き上げる。そうすると、リング２の係止部位３に係止された係止部位５によりボール収容部４が内部にボールを収容したまま、一緒に引き上げられる。このようにしてリング２とボール収容部４との合体によりなる本ボール取り出し構造１をトラックボール筐体から分離した後、リング２とボール収容部４の係止部位３、５の係止が解除されるようにいずれかを回して、リング２とボール収容部４とを分離し、ボール収容部４内に収容されているボールを取り出す。
【００１７】
図２Ａ〜２Ｄは、本発明ボール取り出し構造の実施例についてボール取り出しの手順を示す斜視図であり、筐体内透視図である。
リング２２がトラックボール２１０の筐体２８に取り付けられている通常の状態においては、リング２２は脱着自在に筐体２８に固定されている。固定は、リング２２を筐体２８側に時計方向（右回り）にねじ込み締め付けるように回してなされている。ボール２６はボール収容部２５に収容保持された状態である＜図２Ａ＞。
【００１８】
ボール２６を取り出す場合は、まずリング２２を反時計方向つまり左回りに回していく＜図２Ａ＞。この過程で、リング２２の筐体２８への固定が解除され、最終的にリング２２の係止部位（２３）がボール収容部（２５）の係止部位（２４）の位置まで来て係止可能な状態となったら＜図２Ｂ＞、リング２２を把持して引き上げる＜図２Ｃ＞。
【００１９】
リング２２を引き上げることにより、その係止部位２３によって係止されたボール収容部２５はリング２２と一緒に吊り上げられ、内部にボール２６を収容保持したままで引き上げられる＜図２Ｃ＞。その後、リング２２の係止部位２３とボール収容部２５の係止部位２４との間の係止が解除されてリング２２とボール収容部２５とは分離され、ボール収容部２５内のボール２６を取り出すことができる＜図２Ｄ＞。
【産業上の利用可能性】
【００２０】
本発明によれば、他の治具やリングに設ける特別な構造を用いたり、さらにその治具からボールを取り外す手間をかけることなく、使用しているボールを筐体から容易に取り出すことができ、清掃の作業性を向上させることができるため、トラックボールを用いるあらゆる製品分野において利用性が高い発明である。
【符号の説明】
【００２１】
１、２１…トラックボールのボール取り出し構造
２、２２…リング
４、２５…ボール収容部
３、５、２３、２４…係止部位
６、２６…ボール
１０、２１０…トラックボール
２８…筐体
３５…筐体
３６、４６…ボール
３７…へら状の治具
４５…ケース
４７…リング一体治具
４８…リング
４９…保持アーム
【図１Ａ】
2010165034.tif 000003
【図１Ｂ】
2010165034.tif 000004
【図２Ａ】
2010165034.tif 000005
【図２Ｂ】
2010165034.tif 000006
【図２Ｃ】
2010165034.tif 000007
【図２Ｄ】
2010165034.tif 000008
【図３】
2010165034.tif 000009
【図４】
2010165034.tif 000010